(57)【要約】【課題】更に小型化が可能なギヤ連結機構およびファクシミリ装置を提供する。【解決手段】回転駆動する駆動モータからの回転を被駆動部に伝達するギヤ連結機構１において、駆動モータに設けられた駆動ギヤ１０１と歯合した太陽ギヤ１１と、太陽ギヤ１１と同軸に配設されたカムギヤ１２と、カムギヤ１２の半径方向の位置により被駆動部を選択するアーム部１５１，１６１，１７１を有し、カムギヤ１２の円周方向に沿って配設された第２，第３，第４振り子ギヤ１５，１６，１７とを備えている。【選択図】図１
2007162829.tif 000002
【特許請求の範囲】
【請求項１】
回転駆動する駆動源からの回転を被駆動部に伝達するギヤ連結機構において、
前記駆動源に設けられた駆動ギヤから動力を受けて回転する太陽ギヤと、
前記太陽ギヤと同軸に配設されたカムギヤと、
先端が前記カムギヤに離接可能なように回動可能に保持されたアーム部とを有し、
前記カムギヤが動作モードに応じた位置で停止した状態で前記アーム部の先端が前記カムギヤに当たった時の前記アーム部の位置に応じて前記駆動源からの回転を選択的に被駆動部に伝達させることを特徴とするギヤ連結機構。
【請求項２】
１以上のアーム部が前記カムギヤの円周方向に沿って配設され、前記アーム部の先端と前記カムギヤが当たる前記カムギヤ半径方向の位置により被駆動部が選択されることを特徴とする請求項１記載のギヤ連結機構。
【請求項３】
前記アーム部は、前記太陽ギヤの回転方向により前記太陽ギヤと歯合したり、離脱したりして前記被駆動部へ前記太陽ギヤからの回転を伝達する振り子ギヤに連結されていることを特徴とする請求項２記載のギヤ連結機構。
【請求項４】
前記カムギヤには、前記太陽ギヤが一方向に回転するときには前記カムギヤが回転し、他方向に回転するときには前記カムギヤの回転を規制する規制手段が設けられていることを特徴とする請求項１から３のいずれかの項に記載のギヤ連結機構。
【請求項５】
前記太陽ギヤからカムギヤへ動力を伝達する為のカムギヤ駆動用振り子ギヤを、前記駆動源である駆動モータが配設された位置と、前記太陽ギヤの軸線方向から見て重なる位置に配設したことを特徴とする請求項１記載のギヤ連結機構。
【請求項６】
少なくとも受信内容を印字するための記録紙搬送動作モードと、送信する原稿を読み取るための原稿搬送動作モードと、記録紙の搬送と原稿の搬送を並行して行うコピー動作モードの切り換えを行うギヤ連結機構を有するファクシミリ装置であって、
回転駆動のための駆動源と、
前記駆動源に設けられた駆動ギヤから動力を受けて回転する太陽ギヤと、
前記太陽ギヤと同軸に配設されたカムギヤと、
先端が前記カムギヤに離接可能なように回動可能に保持されたアーム部とを有し、
動作モードに応じた所定位置まで前記カムギヤを回転させた上で前記カムギヤを停止させ、
前記カムギヤが停止した状態で各アーム部の先端を前記カムギヤに向かって移動させ、
前記アーム部の先端が前記カムギヤに当たって停止した位置に応じて前記駆動源からの回転を選択的に被駆動部に伝達させることを特徴とするファクシミリ装置。
【請求項７】
少なくとも受信内容を印字するための記録紙搬送動作モードと、送信する原稿を読み取るための原稿搬送動作モードと、記録紙の搬送と原稿の搬送を並行して行うコピー動作モードの切り換えを行うギヤ連結機構を有するファクシミリ装置であって、
前記ギヤ連結機構は、
前記駆動源となる駆動モータと、
前記駆動モータの軸に設けられた駆動ギヤと歯合した太陽ギヤと、
前記太陽ギヤと同軸に配設されたカムギヤと、
前記カムギヤへ１方向のみの回転駆動力を伝達する為のカムギヤ駆動用振り子ギヤと、
原稿搬送駆動ギヤと、
記録紙搬送ギヤと、
先端が前記カムギヤに離接可能なように回動可能に保持された１以上のアーム部と、
前記アーム部に前記太陽ギヤからの回転力を伝達する為の１以上の振り子ギヤとを有し、前記駆動モータを第１の方向に回転させることで太陽ギヤが正転し、前記太陽ギヤの正転により前記カムギヤを動作モードに応じた所定位置まで回転させ、
前記カムギヤが所定位置に来た時に前記駆動モータの回転を反転させ第２の方向に回転させることで前記太陽ギヤを逆転させ、
前記太陽ギヤの逆転に応じて前記カムギヤ駆動用振り子ギヤが前記カムギヤから離れて前記カムギヤの回転を停止させるとともに前記振り子ギヤに連結された各アーム部の先端が前記カムギヤに向かって移動し、
各アーム部の先端が前記カムギヤに当たった時の前記アーム部の位置に応じて前記原稿搬送駆動ギヤや記録紙搬送ギヤに対する動力伝達状態が切り換わる構成を持つことを特徴とするファクシミリ装置。
【発明の詳細な説明】
【技術分野】
【０００１】
本発明は、駆動源からの回転を被駆動部に伝達するギヤ連結機構およびファクシミリ装置に関する。
【背景技術】
【０００２】
モータからの駆動を伝達するギヤ連結機構は、様々な装置の動力伝達機構として用いられている。例えば、ギヤ連結機構をファクシミリ装置に適用したものが特許文献１に記載されたものがある。
【０００３】
この特許文献１に記載のファクシミリ装置は、大型の太陽歯車をモータの回転軸に設けることで、太陽歯車とモータとの間に減速ギヤを含めた複数の歯車を介装する必要がないので、構造が簡単でコストの低減を図ることができるというものである。
【特許文献１】特開平５−１１６７９４号公報
【発明の開示】
【発明が解決しようとする課題】
【０００４】
しかし、特許文献１に記載のファクシミリ装置のギヤ連結機構では、太陽歯車をモータの回転軸に設けているので、この大型の太陽歯車から駆動される被駆動部には、それぞれの回転速度に合致するように複数のギヤを組み合わせて太陽ギヤの周囲それぞれ設ける必要がある。従って、ギヤ連結機構自体が大きくなってしまい、装置全体としても大きいものとなってしまう。
【０００５】
また、様々な動作モードに応じて被駆動部を切り替えるためにカムギヤを設ける必要があるが、太陽歯車に隣接させてカムギヤを設けると、更に他のギヤが配置できない無駄な空間が生じるので、ギヤ連結機構が大きいものとなってしまう。
【０００６】
ギヤ連結機構は、装置本体の軽量化や小型化がこれまで以上に望まれている中で、更に厳しい省スペース化が要求されている。
【０００７】
そこで本発明の目的は、更に小型化が可能なギヤ連結機構およびファクシミリ装置を提供する。
【課題を解決するための手段】
【０００８】
本発明のギヤ連結機構は、回転駆動する駆動源からの回転を被駆動部に伝達するギヤ連結機構において、前記駆動源に設けられた駆動ギヤと歯合した太陽ギヤと、前記太陽ギヤと同軸に配設されたカムギヤとを備えたことを特徴とする。
【発明の効果】
【０００９】
本発明は、カムギヤを配置する場所を太陽ギヤとは別に確保する必要がなく、被駆動部をカムギヤ周辺に配設することで、無駄のない配置を行うことができるので、更に小型化が可能である。
【発明を実施するための最良の形態】
【００１０】
本発明の第１の発明は、回転駆動する駆動源からの回転を被駆動部に伝達するギヤ連結機構において、駆動源に設けられた駆動ギヤから動力を受けて回転する太陽ギヤと、この太陽ギヤと同軸に配設されたカムギヤと、先端がカムギヤに離接可能なように回動可能に保持されたアーム部とを有し、先端がカムギヤに当たった時のアーム部の位置に応じて駆
動源からの回転を選択的に被駆動部に伝達させるものである。
【００１１】
このように太陽ギヤとカムギヤとが同軸に配設されていることにより、カムギヤを配置する場所を太陽ギヤとは別に確保する必要がなく、被駆動部をカムギヤ周辺に配設することで、無駄のない配置を行うことができる。
【００１２】
本発明の第２の発明は、カムギヤの半径方向の位置により被駆動部を選択する１以上のアーム部が、カムギヤの円周方向に沿って配設されたことを特徴としたものである。
【００１３】
被駆動部を選択するアーム部をカムギヤの円周方向に沿って配置することで、カムギヤの周囲に配置された被駆動部からアーム部まで距離を短くすることができる。従って、アーム部の可動する範囲を小さくすることができるので無駄なスペースを削減できる。
【００１４】
本発明の第３の発明は、アーム部は、太陽ギヤの回転方向により太陽ギヤと歯合したり、離脱したりして被駆動部へ太陽ギヤからの回転を伝達する振り子ギヤに連結されていること特徴としたものである。
【００１５】
アーム部と振り子ギヤとが連結されていることで、カムギヤのカムの位置に応じて太陽ギヤの回転を被駆動部へ伝達させることができる。従って、カムを各動作モードに応じた形状とすることで動作モードの切り替えを行うことができる。
【００１６】
本発明の第４の発明は、カムギヤには、太陽ギヤが一方向に回転するときにはカムギヤが回転し、他の方向に回転するときにはカムギヤの回転を規制する規制手段が設けられていることを特徴としたものである。
【００１７】
規制手段をカムギヤに設けることで、太陽ギヤが一方向に回転するときにはカムギヤが回転し、他の方向に回転するときにはカムギヤの回転を規制するので、カムギヤと太陽ギヤとが供回りすることが防止できる。
【００１８】
本発明の第５の発明は、太陽ギヤからカムギヤへ動力を伝達する為のカムギヤ駆動用振り子ギヤを、駆動源である駆動モータが配設された位置と、太陽ギヤの軸線方向から見て重なる位置に配設したことを特徴としたものである。
【００１９】
駆動モータを駆動源として配設すると駆動モータ周囲にスペースができるが、上記のように駆動モータが配設された位置と太陽ギヤの軸線方向から見て重なる位置にカムギヤ駆動用振り子ギヤを配設することで、スペースの有効利用が図れる。
（実施の形態）
本発明の実施の形態に係るギヤ連結機構および該ギヤ連結機構を備えたファクシミリ装置について図面に基づいて説明する。図１は、本発明の実施の形態に係るギヤ連結機構を説明する斜視図である。図２は、図１におけるギヤ連結機構を用いたファクシミリ装置を示す斜視図である。図３は、太陽ギヤおよびカムギヤを説明する要部を拡大した底面図である。図４は、カムギヤが太陽ギヤの回転と共に供回りすることを規制する規制手段を説明する図である。
【００２０】
図１に示すようにギヤ連結機構１は、シャーシとしての役割を有する筐体２に収納されている。筐体２は合成樹脂のモールド成型品で作られる。そして、図２に示されるファクシミリ装置の親機３の用紙搬送機構として実装されている。ギヤ連結機構１は、親機３では記録用紙の給紙・排出を行う受信モード、原稿の給紙・排出を行う送信モード、その組み合わせとなる複写モードなどを切り替えながら動作している。
【００２１】
図１および図３に示すように、ギヤ連結機構１は、駆動源としてＤＣ２４Ｖで動作する駆動モータ１０を備えている。駆動モータ１０は、図示しないドライバ回路を含む制御部からの電源供給により所定回数分の正転および逆転が指示される。駆動モータ１０は、その駆動軸に設けられた駆動ギヤ１０１が太陽ギヤ１１に歯合して、太陽ギヤ１１に回転を伝達する。太陽ギヤ１１と同軸上にカムギヤ１２が設けられている。このカムギヤ１２には、動作モードを切り替えるカム１２３が設けられている。
【００２２】
太陽ギヤ１１の隣には、太陽ギヤ１１が正転したときに、カムギヤ１２に歯合してカムギヤ１２を回転させ、逆転したときにカムギヤ１２から離れる第１振り子ギヤ１３（カムギヤ駆動用振り子ギヤ）が配設されている。この第１振り子ギヤ１３を、駆動モータ１０が配設された位置と、太陽ギヤ１１の軸線方向から見て重なる位置に配設することで、駆動モータ１０の周囲にできるスペースを有効活用することでギヤ連結機構１の小型化に寄与している。
【００２３】
カムギヤ１２は、太陽ギヤ１１を挿通するギヤ軸１４に回転自在に配設され、太陽ギヤ１１と同軸である。カムギヤ１２には、太陽ギヤが逆転したときに供回りしないように回転方向を規制する規制手段が設けられている。すなわちカムギヤ１２の太陽ギヤ１１側を向いた面に、カムギヤ１２の回転方向を規制する規制手段として鋸刃状のリブ１２１が設けられ、さらに基部がループ状に形成されると共に筐体２に固定され、先部が略へ字状に形成された金属線のストッパ１２２を備えている（図４参照）。ストッパ１２２の先端がカムギヤ１２と太陽ギヤ１１との間に入り込んでリブ１２１に係合し、カムギヤ１２の回転を規制する。
【００２４】
カム１２３は、カムギヤ１２の周方向に沿って形成された円弧状の壁部である。このカム１２３の一端部は、カムギヤ１２と接する所定角度の切り欠き部１２４が設けられている。このカム１２３の周囲には、アーム部１５１，１６１，１７１を有する第２，第３，第４振り子ギヤ１５，１６，１７が設けられており、これら第２，第３，第４振り子ギヤ１５，１６，１７は、カムギヤ１２の円周方向に沿って所定角度に配置されている。
【００２５】
アーム部１５１，１６１，１７１の先部には、カムギヤ１２の中心方向に向かって突設された爪部が形成されており、これらは太陽ギヤ１１が正転したときに離れ、逆転したときにカムギヤ１２の中心に向かって移動する。
【００２６】
第２，第３，第４振り子ギヤ１５，１６，１７は、アーム部１５１，１６１，１７１が、カム１２３によりカムギヤ１２の半径方向の移動を規制されることで決定されるカムギヤ１２の半径方向の位置により、後述する被駆動部を選択して太陽ギヤ１１の駆動を被駆動部へ伝達するものである。被駆動部としては、原稿搬送部２０と、記録紙ピックアップ部２１と、記録紙排出部２２と、プラテン駆動部２３を備えている。
【００２７】
原稿搬送部２０は、第２振り子ギヤ１５からの回転駆動を伝達する原稿搬送駆動ギヤ２０１と、原稿搬送駆動ギヤ２０１の回転により原稿ピックアップローラを駆動する原稿ピックアップギヤ２０２と、原稿排出ローラを駆動する原稿排出ギヤ２０３とを備えている。
【００２８】
記録紙ピックアップ部２１は、第３振り子ギヤ１６からの回転により記録紙ピックアップローラを駆動する記録紙ピックアップギヤ２１１を備えている。
【００２９】
記録紙排出部２２は、第４振り子ギヤ１７からの回転により記録紙搬送ローラを駆動する記録紙搬送ギヤ２２１を備えている。
【００３０】
プラテン駆動部２３は、第４振り子ギヤ１７からの回転によりプラテンローラを駆動するプラテン駆動ギヤ２３１と、プラテン駆動ギヤ２３１の回転によりリボンをフィードするリボン巻き取りギヤ２３２とを備えている。
【００３１】
以上のように構成される本発明の実施の形態に係るギヤ連結機構１の動作を、更に図５から図１０を参照しながら説明する。図５は、ギヤ連結機構１の動作モードの切り替えを説明する図である。図６は、ギヤ連結機構１の記録紙のピックアップ動作を説明する図である。図７は、ギヤ連結機構１の記録紙の印字位置までの搬送動作を説明する図である。図８は、ギヤ連結機構１の記録紙の搬送および排出動作を説明する図である。図９は、ギヤ連結機構１の原稿の搬送動作を説明する図である。図１０は、ギヤ連結機構１のコピーモードを説明する図である。なお、図５から図１０においては動作を説明するに主要なギヤのみを図示しているので、他のギヤや駆動モータ１０については図１および図３を参照することとする。
【００３２】
まずは、図５を参照しながら本実施の形態に係るギヤ連結機構１が行う動作モードの切り替えについて説明する。
【００３３】
駆動モータ１０を動作させることで駆動軸に設けられた駆動ギヤ１０１を介して太陽ギヤ１１を正転させる。太陽ギヤ１１が正転することで、第１振り子ギヤ１３がカムギヤ１２に歯合してカムギヤ１２を回転させる。そして第２，第３，第４振り子ギヤ１５，１６，１７は、太陽ギヤ１１が正転することで、アーム部１５１，１６１，１７１のそれぞれの先部がカムギヤ１２のカム１２３から離れる。
【００３４】
駆動モータ１０をカム１２３が所定位置となるまで回転させる。従って、動作モードの切り替えを行うときには、アーム部１５１，１６１，１７１がカム１２３から離れた状態とすることで、太陽ギヤ１１の駆動を被駆動部（原稿搬送部２０，記録紙ピックアップ部２１，記録紙排出部２２，プラテン駆動部２３）へ伝達しない状態で、カムギヤ１２を回転させ、動作モードの選択を行う。
【００３５】
次に、動作モードとして電話回線からファクシミリを受信したときの動作を、更に図６から図８に基づいて説明する。まずは、電話回線からファクシミリを受信して記録紙を給紙するときの動作を図６に基づいて説明する。
【００３６】
動作モードを図６に示されるカムギヤ１２の位置まで回転させた後に、駆動モータ１０の回転を反転させることで太陽ギヤ１１が逆転する。太陽ギヤ１１が逆転することで、第１振り子ギヤ１３がカムギヤ１２から離れ、駆動モータ１０からの駆動が遮断される。
【００３７】
駆動モータ１０からの駆動が遮断された状態であっても、カムギヤ１２は太陽ギヤ１１のギヤ軸１４に回転自在に配設されているので太陽ギヤ１１と共に供回りをしようとする。しかし、カムギヤ１２には、回転方向を規制する規制手段としてのリブ１２１と、ストッパ１２２とが設けられているので、供回りを防止することできる（図４参照）。従って、太陽ギヤ１１が逆転して供回りすることで、勝手に動作モードが切り替わることを防止することができる。
【００３８】
太陽ギヤ１１が逆転することで、第２，第３，第４振り子ギヤ１５，１６，１７のアーム部１５１，１６１，１７１がカムギヤ１２の中心に向かって移動する。この場合、アーム部１５１およびアーム部１７１は、カム１２３によりカムギヤ１２の中心への移動が規制され、アーム部１６１は、カム１２３が形成されていない位置にいるため、中心へ向かって移動する。
【００３９】
この状態では、第２振り子ギヤ１５は、原稿搬送駆動ギヤ２０１から離れた状態なので、原稿搬送部２０は非選択状態である。また、第３振り子ギヤ１６は記録紙ピックアップギヤ２１１へ歯合しているため記録紙ピックアップ部２１は選択状態である。また、第４振り子ギヤ１７は、記録紙搬送ギヤ２２１へは歯合した状態であり、かつプラテン駆動ギヤ２３１からは離れた状態であるので、記録紙排出部２２は選択状態で、プラテン駆動部２３は非選択状態である。
【００４０】
従って、太陽ギヤ１１の回転は、記録紙ピックアップギヤ２１１と、記録紙搬送ギヤ２２１へ伝達されることで、記録紙が記録紙ピックアップギヤ２１１により記録紙ピックアップローラが回転して給紙され、記録紙搬送ギヤ２２１により記録紙搬送ローラが回転して所定位置まで搬送される。
【００４１】
そして、駆動モータ１０を正転させて図７で示されるカム１２３の位置までカムギヤ１２を回転させて動作モードの切り替えを行う。この場合、アーム部１５１はカム１２３によりカムギヤ１２の半径方向への移動が規制され、アーム部１６１およびアーム部１７１は、カム１２３が形成されていない位置にいるため、中心へ向かって移動する。
【００４２】
この状態では、第２振り子ギヤ１５は、原稿搬送駆動ギヤ２０１から離れた状態なので、原稿搬送部２０は非選択状態である。また、第３振り子ギヤ１６は記録紙ピックアップギヤ２１１へ歯合しているため記録紙ピックアップ部２１は選択状態である。また、第４振り子ギヤ１７は、記録紙搬送ギヤ２２１およびプラテン駆動ギヤ２３１に歯合した状態なので、記録紙排出部２２およびプラテン駆動部２３は選択状態である。
【００４３】
従って、図７に示される動作モードは、図６に示される動作モードにプラテン駆動部２３によるプラテンローラの駆動を追加した動作モードである。この動作モードは、記録紙を所定位置まで搬送した後に、印字ヘッドを通過させて搬送するに記録紙搬送ローラの次に位置するプラテンローラに駆動力を付加させて搬送させている。
【００４４】
そして、駆動モータ１０を正転させて図８で示されるカム１２３の位置までカムギヤ１２を回転させて動作モードの切り替えを行う。この場合、アーム部１５１およびアーム部１６１は、カム１２３によりカムギヤ１２の半径方向への移動が規制され、アーム部１７１は、カム１２３が形成されていない位置にいるため、中心へ向かって移動する。
【００４５】
この状態では、第２振り子ギヤ１５は、原稿搬送駆動ギヤ２０１から離れた状態なので、原稿搬送部２０は非選択状態である。また、第３振り子ギヤ１６は記録紙ピックアップギヤ２１１から離れた状態なので記録紙ピックアップ部２１は非選択状態である。また、第４振り子ギヤ１７は、記録紙搬送ギヤ２２１へは歯合した状態であり、かつプラテン駆動ギヤ２３１にも歯合した状態であるので、記録紙排出部２２およびプラテン駆動部２３は選択状態である。
【００４６】
従って、図８に示される動作モードは、記録紙の給紙が完了して、次の記録紙を給紙しないように、記録紙ピックアップ部２１は非選択状態とし、記録紙搬送ギヤ２２１による記録紙搬送ローラと、プラテン駆動ギヤ２３１によるプラテンローラとの駆動を行って、記録紙に印字した後に排出を行っている。
【００４７】
このようにして、ファクシミリを受信するときのギヤ連結機構１は、最初に記録紙をピックアップする動作モードの切り替えを行い、記録紙を給紙し、また動作モードの切り替えを行って記録紙を搬送して印字した後に、更に動作モードの切り替えを行って印字した記録紙の排出を行っている。
【００４８】
次に、原稿を電話回線へファクシミリするときの動作モードを図９に基づいて説明する。駆動モータ１０を回転させて太陽ギヤ１１を正転させ、動作モードの切替を行う。この場合、図９に示されるカム１２３の位置となるまで回転させる。
【００４９】
そしてカム１２３が図９で示される所定位置まで回転すると、駆動モータ１０を反転させて太陽ギヤ１１を逆転させる。
【００５０】
この太陽ギヤ１１の逆転により、第２，第３，第４振り子ギヤ１５，１６，１７のアーム部１５１，１６１，１７１がカムギヤ１２の中心に向かって移動する。この場合、アーム部１５１は、カム１２３が形成されていない位置にいるため、中心へ向かって移動する。そして、アーム部１６１およびアーム部１７１は、カム１２３によりカムギヤ１２の半径方向への移動が規制される。
【００５１】
この状態では、第２振り子ギヤ１５は、原稿搬送駆動ギヤ２０１に歯合した状態なので、原稿搬送部２０は選択状態である。また、第３振り子ギヤ１６は記録紙ピックアップギヤ２１１から離れた状態なので記録紙ピックアップ部２１は非選択状態である。また、第４振り子ギヤ１７は、記録紙搬送ギヤ２２１およびプラテン駆動ギヤ２３１から離れた状態なので、記録紙排出部２２およびプラテン駆動部２３は非選択状態である。
【００５２】
従って、図９に示される動作モードは、太陽ギヤ１１の回転が原稿搬送部２０の原稿搬送駆動ギヤ２０１のみに伝達される。つまり、原稿搬送駆動ギヤ２０１の回転により原稿ピックアップギヤ２０２が回転して原稿ピックアップローラが駆動され、次に駆動される原稿排出ギヤ２０３が回転することで原稿排出ローラが回転する。
【００５３】
このようにしてファクシミリを受信するときのギヤ連結機構１は、最初に原稿をピックアップして送る動作モードの切り替えを行った後に、原稿を給紙して図示しないスキャナで読み取り、搬出を行っている。
【００５４】
更に、このギヤ連結機構１は、ファクシミリを受信したときの記録紙を記録するモードと、ファクシミリを送信するときの原稿を読み取るモードを組み合わせたコピーモードを備えている。
【００５５】
まず、図９で説明したように原稿を給紙する。次に図６で説明したように記録紙をピックアップしてプラテンローラの位置まで搬送する。更に図７で説明したように記録紙をプラテンローラに挟み込ませた状態とする。そして、図１０に示すような位置までカム１２３を回転させることで、アーム部１５１はカム１２３形成されていない位置にいるため、中心へ向かって移動する。また、アーム部１６１は、カム１２３によりカムギヤ１２の半径方向への移動が規制される。また、アーム部１７１は、カム１２３の切り欠き１２４が設けられた位置なので、中心へ向かって移動する。
【００５６】
この状態では、第２振り子ギヤ１５は、原稿搬送駆動ギヤ２０１に歯合した状態なので原稿搬送部２０は選択状態である。また、第３振り子ギヤ１６は記録紙ピックアップギヤ２１１から離れた状態なので記録紙ピックアップ部２１は非選択状態である。また、第４振り子ギヤ１７は、記録紙搬送ギヤ２２１へは歯合した状態であり、かつプラテン駆動ギヤ２３１にも歯合した状態であるので、記録紙排出部２２およびプラテン駆動部２３は選択状態である。
【００５７】
従って、図１０に示される動作モードは、原稿搬送駆動ギヤ２０１の回転により原稿ピックアップギヤ２０２が回転して原稿ピックアップローラが駆動されて給紙され、記録紙ピックアップギヤ２１１により記録紙ピックアップローラが駆動され、記録紙搬送ギヤ２
２１により記録紙搬送ローラが回転して所定位置まで搬送される。
【００５８】
このようにして本実施の形態に係るギヤ連結機構１を用紙搬送機構として実装したファクシミリ装置の親機３では、記録用紙の給紙・排出や、原稿の給紙・排出などを行っている。
【００５９】
このように、本実施の形態に係るギヤ連結機構１では、太陽ギヤ１１とカムギヤ１２とを同軸に配置しているので、原稿搬送部２０，記録紙ピックアップ部２１，記録紙排出部２２，およびプラテン駆動部２３の各被駆動部を周囲に配置できる。従って、無駄のない配置を行うことができる。
【００６０】
また、動作モードを切り替えるアーム部１５１，１６１，１７１を有する第２，第３，第４振り子ギヤ１５，１６，１７をカムギヤ１２の円周方向に沿って周囲に配置しているので、カムギヤ１２の周囲に配置された被駆動部からアーム部１５１，１６１，１７１まで距離を短くすることができる。従って、アーム部１５１，１６１，１７１の可動する範囲を小さくすることができるので無駄なスペースを削減できる。
【産業上の利用可能性】
【００６１】
本発明のギヤ連結機構は、駆動源からの回転を被駆動部に伝達する機構の小型化が可能であり、ファクシミリなどの紙搬送機構として利用することができる。
【図面の簡単な説明】
【００６２】
【図１】本発明の実施の形態に係るギヤ連結機構を説明する斜視図
【図２】図１におけるギヤ連結機構を用いたファクシミリ装置を示す斜視図
【図３】太陽ギヤおよびカムギヤを説明する要部を拡大した底面図
【図４】カムギヤが太陽ギヤの回転と共に供回りすることを規制する規制手段を説明する図
【図５】ギヤ連結機構の動作モードの切り替えを説明する図
【図６】ギヤ連結機構の記録紙のピックアップ動作を説明する図
【図７】ギヤ連結機構の記録紙の印字位置までの搬送動作を説明する図
【図８】ギヤ連結機構の記録紙の搬送および排出動作を説明する図
【図９】ギヤ連結機構の原稿の搬送動作を説明する図
【図１０】ギヤ連結機構のコピーモードを説明する図
【符号の説明】
【００６３】
１    ギヤ連結機構
１０    駆動モータ
１１    太陽ギヤ
１２    カムギヤ
１３    第１振り子ギヤ
１４    ギヤ軸
１５    第２振り子ギヤ
１６    第３振り子ギヤ
１７    第４振り子ギヤ
２０    原稿搬送部
２１    記録紙ピックアップ部
２２    記録紙排出部
２３    プラテン駆動部
１０１    駆動ギヤ
１２１    リブ
１２２    ストッパ
１２３    カム
１２４    切り欠き部
１５１    アーム部
１６１    アーム部
１７１    アーム部
２０１    原稿搬送駆動ギヤ
２０２    原稿ピックアップギヤ
２１１    記録紙ピックアップギヤ
２２１    記録紙搬送ギヤ
２３１    プラテン駆動ギヤ
２３２    リボン巻き取りギヤ
【図１】
2007162829.tif 000003
【図２】
2007162829.tif 000004
【図３】
2007162829.tif 000005
【図４】
2007162829.tif 000006
【図５】
2007162829.tif 000007
【図６】
2007162829.tif 000008
【図７】
2007162829.tif 000009
【図８】
2007162829.tif 000010
【図９】
2007162829.tif 000011
【図１０】
2007162829.tif 000012